(57)【要約】      （修正有）【課題】外出先のような郵便物等の重量を量ることができない所でも容易にかつ瞬時に重量を量ることができ、測定結果の重量値に対応する他のデータを所定のデータベースにおいて検索し、取得可能にする。【解決手段】本体ハウジング１１に重量計３を収容する重量計空洞部２が形成された携帯電話機であり、重量計３は、重量測定される被測定物によって及ぼされる力を重量センサー３１に伝えるアーム３３を備え、その一端側に重量測定される被測定物を取り付け、被測定物の重量を重量値に変換し、他端側で被測定物の重量と同等の圧力を重量センサー３１に掛けるとともに、重量センサー３１における電圧値を変化させるように構成される。測定結果の重量値が携帯電話機に伝送されると、携帯電話機から所定のデータベースに問合せが送信され、重量値に対応する他のデータがデータベースにおいて検索され、その応答結果が戻され、携帯電話機のスクリーンに表示される。【選択図】図２
2006300604.tif 000002
【特許請求の範囲】
【請求項１】
本体ハウジング内に、開口部を有する重量計空洞部が形成された携帯電子機器と、この重量計空洞部に収容される重量計とを備えた重量計付き携帯電子機器であって、前記重量計は、重量測定される被測定物によって及ぼされる力を重量情報発生部の重量センサーに伝えるアームを備え、該アームの一端側に重量測定される前記被測定物を取り付け、重量測定された被測定物の重量を携帯電子機器のスクリーン上に表示される重量値に変換し、前記アームの他端側において前記被測定物の重量と同等の圧力を前記重量センサーに掛けるとともに、この重量センサーを通る電流の電圧値を被測定物の重量にしたがって変化せしめるように構成されていることを特徴とする重量計付き携帯電子機器。
【請求項２】
前記アームは、入れ子式の伸縮自在なばねアームであることを特徴とする請求項１に記載の重量計付き携帯電子機器。
【請求項３】
前記重量値は、前記重量情報発生部から前記携帯電子機器に伝送され、該重量値に基づいて携帯電子機器から所定のデータベースに問い合わせが送信され、前記重量値に対応する他のデータを前記データベースから検索して携帯電子機器のスクリーンに表示することを特徴とする請求項１に記載の重量計付き携帯電子機器。
【請求項４】
前記重量計は、携帯電子機器の前記本体ハウジングに形成されたネジ穴に固着されるばね秤であることを特徴とする請求項１に記載の重量計付き携帯電子機器。
【請求項５】
通話中あるいはメールの送信中に被測定物の重量が量られると、前記重量情報発生部は重量情報を発生し、該重量情報を所定の操作により音声情報として、あるいはメール文中に挿入されるメッセージとして相手方に伝送することができることを特徴とする請求項１に記載の重量計付き携帯電子機器。
【請求項６】
通話前のメール文作成中に被測定物の重量が量られると、前記重量情報発生部は重量情報を発生し、該重量情報を所定の操作によりメール文中に挿入される数値表示として挿入することができることを特徴とする請求項１に記載の重量計付き携帯電子機器。
【請求項７】
前記重量計空洞部に収容される重量計を備えた携帯電子機器が携帯電話機であることを特徴とする請求項１に記載の携帯電子機器。
【発明の詳細な説明】
【技術分野】
【０００１】
本発明は、たとえば、携帯電話機、ＰＤＡ（携帯情報端末機）、ゲーム機等の携帯電子機器に関し、特に、一体的に組み込まれた重量計付き携帯電子機器に関する。
【背景技術】
【０００２】
近年、携帯電子機器、とりわけ携帯電話機にあっては、猛烈な勢いで拡がりを見せている。先進国の殆どにおいて、西暦２００４年には、その拡がりは既に９０％を超え、他の国においてもそれほど遅れをとることはない。ＰＤＡのような他の携帯電子機器やデジタルカメラもまたかなり一般的である。携帯電子機器の機能の面もまた、たとえば、携帯電話機が音声やデータの送信および受信の従来の機能ばかりでないように、種々異なってきている。ある携帯電話機は、たとえば、カメラおよび遠隔制御器の機能さえ持ち合わせている。付加されるより多くの機能が期待され、携帯電話機および他の携帯電子機器がユビキタスで、かつ、広域用途の携帯機器になりつつある。
【０００３】
以下の記述においては、携帯電子機器の種々の機能および被測定物の記述を省略するために、携帯電子機器の一般的な代表例として携帯電話機を採り上げることにする。
【０００４】
新たな、かつ、便利な機能およびアクセサリが携帯電話機に付加される都度、ユーザーとともに普段選択的に持ち歩くであろう品物の数が減らされることになりながらも、携帯電話機本来の機能は維持され、十分に利用され得る。このことはユーザーの持ち物の重量と体積とを減ずることになる。
【０００５】
たとえば、ユーザーが自分の家またはアパートを離れて外出するとき、ユーザーはいつも鍵を持ち歩いている。このとき、鍵の代わりに、携帯電話機から錠に無線で送られる数字信号を用いれば、従来の鍵はもはや不要になり、それゆえ、多くの持ち歩き品を減らすことができる。同様に、銀行のキャッシュカードの機能が無線信号に変調された数字信号によって与えられれば、忘れがちで紛失しがちなキャッシュカードを持ち歩くことはもはや不要になる。
【０００６】
重量計（秤）は普段ユーザーが持ち歩くことを想像しない品物である。しかし、これを持ち歩けば、様々な機会に非常に助かることになる。たとえば、手紙を書き終え、すぐに発送しようとする場合、業務時間後か週末では、手紙の重量を量るために近くの郵便局へ行くことができない。その代わりに、手紙に貼るべき切手料金を決めるためにユーザー自身が手紙の重量を量らなければならず、その後、その手紙を近くの郵便ポストに投函しなければならない。ときおり、自宅に重量計を置いているユーザーがあるかもしれないが、外出先であれば、結局、手紙の重量を量ることはできないであろう。
【０００７】
従来においても、携帯用の計量器が開発されている。（たとえば、特許文献１参照）。この計量器は携帯性に優れ、被測定物を取り付けるためのフックや、引き出し可能に収容された物差しや、さらには、被測定物の重量を量る計測手段、重量データを表示する表示手段等を備えている。
【０００８】
また、通信機能付き電子秤も開発されている。（特許文献１参照）。この電子秤には、相手に、たとえばホストコンピュータに重量情報を送出するために、専用のモデム回路やＮＣＵ（ネットワーク・コントロール・ユニット）回路が内蔵されている。
【０００９】
【特許文献１】特開平１０−２８８５４５号公報
【特許文献２】特開平７−７４８４１号公報
【発明の開示】
【発明が解決しようとする課題】
【００１０】
携帯電話機に重量計が付いていれば、非常に役に立つことになる。重量を量る際に、ユーザーは重量計付き携帯電話機をさっと掴めばよい。携帯電話機を作動させた後、メニューから重量計機能を起動する。ユーザーは手紙等の被測定物を重量計に取り付けその重量を量る。重量を量り終えたとき、郵便局または他の郵便サービス会社のデータベースにハイパーリンクを介して正確な郵便料金を知るために、ユーザーはメニューを使うことができる。
【００１１】
しかしながら、携帯電話機を可能な限り軽量化およびコンパクト化させることが現在の趨勢になっており、各メーカーにおいてもこの点でしのぎを削っている状況である。このような状況下で、特許文献１や特許文献２に開示されているハードウェア制御の計量器を携帯電話機にそのまま合体させたのでは、携帯電話機の容量が嵩張るとともに、重量も増すという問題がある。
【００１２】
また、場合によっては、測定データに基づいて他のデータ情報を検索する必要性も生じる。たとえば、重量測定を行った手紙等を郵送する場合、測定結果から郵便料金を知ることができれば、その場で所定の切手を貼って郵便ポストに投函できるので、非常に便利である。このような機能については、特許文献１および特許文献２に開示されていない。
【００１３】
本発明は、上記の課題に鑑みてなされたものであって、その目的とするところは、外出先のような郵便物等の重量を量ることができないところでも容易にかつ瞬時に重量を量ることができるようにした重量計付き携帯電子機器を提供することにある。
【００１４】
本発明のもう１つの目的は、測定された重量情報から、種々のデータベースにハイパーリンクを介して他のデータ情報を取得できるようにした重量計付き携帯電子機器を提供することである。
【課題を解決するための手段】
【００１５】
上記の諸目的を達成するために、本発明の第１の発明による重量計付き携帯電子機器は、本体ハウジング内に、開口部を有する重量計空洞部が形成された携帯電子機器と、この重量計空洞部に収容される重量計とを備えた重量計付き携帯電子機器であって、前記重量計は、重量測定される被測定物によって及ぼされる力を重量情報発生部の重量センサーに伝えるアームを備え、該アームの一端側に重量測定される前記被測定物を取り付け、重量測定された被測定物の重量を携帯電子機器のスクリーン上に表示される重量値に変換し、前記アームの他端側において前記被測定物の重量と同等の圧力を前記重量センサーに掛けるとともに、この重量センサーを通る電流の電圧値を被測定物の重量にしたがって変化せしめるように構成されていることを特徴とする。
【００１６】
また、本発明の第２の発明による重量計付き携帯電子機器は、上記第１の発明に記載の重量計付き携帯電子機器であって、前記アームは、入れ子式の伸縮自在なばねアームであることを特徴とする。
【００１７】
また、本発明の第３の発明による重量計付き携帯電子機器は、上記第１の発明に記載の重量計付き携帯電子機器であって、前記重量値は、前記重量情報発生部から前記携帯電子機器に伝送され、該重量値に基づいて携帯電子機器から所定のデータベースに問い合わせが送信され、前記重量値に対応する他のデータを前記データベースから検索して携帯電子機器のスクリーンに表示することを特徴とする。
【００１８】
また、本発明の第４の発明による重量計付き携帯電子機器は、上記第１の発明に記載の重量計付き携帯電子機器であって、前記重量計は、携帯電子機器の前記本体ハウジングに形成されたネジ穴に固着されるばね秤であることを特徴とする。
【００１９】
また、本発明の第５の発明による重量計付き携帯電子機器は、上記第１の発明に記載の重量計付き携帯電子機器であって、通話中あるいはメールの送信中に被測定物の重量が量られると、前記重量情報発生部は重量情報を発生し、該重量情報を所定の操作により音声情報として、あるいはメール文中に挿入されるメッセージとして相手方に伝送することができることを特徴とする。
【００２０】
また、本発明の第６の発明による重量計付き携帯電子機器は、上記第１の発明に記載の重量計付き携帯電子機器であって、通話前のメール文作成中に被測定物の重量が量られると、前記重量情報発生部は重量情報を発生し、該重量情報を所定の操作によりメール文中に挿入される数値表示として挿入することができることを特徴とする。
【００２１】
さらに、本発明の第７の発明による重量計付き携帯電子機器は、上記第１の発明に記載の重量計付き携帯電子機器であって、前記重量計空洞部に収容される重量計を備えた携帯電子機器が携帯電話機であることを特徴とする。
【００２２】
上記各発明から明らかに理解されるように、本発明の重量計付き携帯電子機器は、重量計を収容する重量計空洞部の導入部となる開口を有する本体ハウジングを備える。重量計空洞部の開口は本体ハウジングの側部もしくは底部に位置し、重量計が使用されないときに、重量計を保護するためにキャップ（カバー）で覆われている。重量計空洞部は、クリップやベルトのような重量測定される被測定物を取り付ける手段を収容できるように十分大きく形成されている。重量を支持するアームが、その一端側で重量センサーに、また他端側でクリップ、ベルト、またはフックにそれぞれ固着されて、重量計空洞部に収容されている。重量計空洞部の中間には、重量支持アームを安定化するためにフランジまたは単純なベアリングが形成されている。重量支持アームの頭部は、重量センサーの上に置かれている補助の重量分散ナットの頂部に装着されている。このようにして、重量測定される被測定物を取り付けることによって重量支持アームに及ぼされる牽引力が重量センサーへの圧縮力に変換される。
【００２３】
さらに、本発明は、携帯電子機器のスクリーン上に表示されるグラフィカル・ユーザーインターフェイス（ＧＵＩ）中に含まれる重量測定機能を包含する。この重量測定機能は、携帯電子機器のこの重量測定機能は、キーパッド上のメニューキーを押し、操作案内することによって選択されるＧＵＩのメニュー品目を介して起動される。この重量測定機能が起動されると、重量センサー制御器が重量センサーを測定状態にするように始動する。
【００２４】
重量センサーが測定可能な状態になると、ユーザーは、重量センサーが使用可能になっていることを音声メッセージ、または携帯電子機器のスクリーン上に表示される視認メッセージのいずれかによって気付かされる。
【００２５】
ここで、重量支持アームに被重量測定物が取り付けられると、抵抗値の変化、すなわち、重量センサーでの電圧値の変化を導くように圧縮力が重量センサーに加えられる。重量センサー制御器はその電圧値をロックアップテーブルに用いる重量値に変換する。その重量値はスクリーン上で視認することができる。
【００２６】
また、本発明によれば、メールサービス会社に属するデータベースに問い合わせを送出するハイパーリンクプロトコルを用いて、重量測定値をメールサービス会社の郵便料金値に変換することができる。
【００２７】
携帯電子機器のスクリーン上に重量値としての重量測定結果を表示した後、ユーザーは重量測定機能を終了させるか、それとも被測定物、たとえば、レターを郵送するために必要な郵便料金値を検索するための問い合わせをメールサービス会社のリストからのハイパーリンクを選択するか、のいずれかを行うことができる。ハイパーリンクを選択することによって、重量値に関する問い合わせは、提携先のメールサービス会社のデータベースに伝送され、対応する郵便料金値がデータベースからの応答メッセージから抽出され、それを携帯電子機器のスクリーン上で視認することができる。
【発明の効果】
【００２８】
本発明によれば、外出先のような郵便物等の重量を量ることができないところでも、簡素でかつ軽量な重量計でもって、容易にかつ瞬時に重量を量ることができる。また、測定結果の重量値に対応する他のデータ情報を所定のデータベースから検索することができる。
【発明を実施するための最良の形態】
【００２９】
以下、本発明による重量計付き携帯電子機器の好ましい実施例を添付の図面を参照して詳細に説明する。なお、携帯電子機器の一例として、携帯電話機を採り上げることにする。
【００３０】
まず、図１、図２および図３に関連して、本発明の第１の好ましい実施例が説明される。図１は携帯電話機１を示す斜視図である。図１において、携帯電話機１には、その本体ハウジング１１内に、重量計３を収容する重量計空洞部２が形成されている。重量計空洞部２は携帯電話機１の本体ハウジング１１の底部または側部に開口１４を有する。開口１４は、図２および図３に示されているように別体としての、或いはより好ましくは、紛失しないように本体ハウジング１１に取り付けられたカバー３６によって閉塞される。カバー３６は重量計３の突出部品によって負わされる負傷から携帯電話機のユーザーを護るとともに、重量計自体を破損から護る。重量計空洞部２内の重量計３は、開口１４に近接するその一端側にクリップ３８付きバンド３７がナットボタン３５を介して取り付けられている入れ子式の伸張自在なばねアーム３３を備えている。重量計３を用いるために、ユーザーはばねアーム３３をそのロック状態から解放するためにナットボタン３５を軽く押し、図３に示されているように、ばねアーム３３をその最大伸張状態に引き下げる。一方、ユーザーが重量計を使用し終えたときには、ばねアーム３３を解放するためにナットボタン３５を再度押し、パチンとロックされるまでばねアーム３３を重量計空洞部２内へ押し込む。重量計３が使われないときは、クリップ３８およびバンド３７は同様に重量計空洞部２内に仕舞い込まれる。クリップ３８およびバンド３７の反対側では、ばねアーム３３は、重量センサー３１の回旋状の穴および重量センサー３１の頂部に横たわる補助の重量分散ナット３４の穴を通過している。ばねアーム３３の他端は重量分散ナット３４上に設けられた円錐ヘッドになっている。このようにして、重量測定される被測定物がクリップ３８に取り付けられると、ばねアーム３３に課せられる牽引力はばねアーム３３の円錐ヘッド３２によって重量センサー３１上に生じる圧縮力に変換される。重量分散ナット３４は、その圧縮力を重量センサー３１上に均等に振り分けるが、その機能がばねアーム３３の円錐ヘッド３２に組み込まれるならば、重量分散ナット３４は省略され得る。
【００３１】
重量計空洞部２の中でばねアーム３３を安定させるとともに、曲がりによる破損を防ぐために、本体ハウジング１１は突起形状のガイドフランジ３９を有している。このガイドフランジ３９はまた、低摩擦ベアリングとしての役割も果たす。
【００３２】
本発明の第２の好ましい実施例が図４に示されている。図４（ａ）および（ｂ）から明らかなように、この第２の実施例においては、単純なばね秤４０が携帯電話機１に一体的に設けられている。このばね秤４０は電気的部品を全く含んでおらず、よって、独立して利用可能になっている。携帯電話機１の本体ハウジング１１内に形成されたネジ穴４１は、ばね秤４０をそのネジボルト４２を介して携帯電話機１に取り付けるために用いられる。ネジボルト４２の長さは、携帯電話機に形成されたネジ穴４１の深さに等しいか、またはそれより短くなっている。ばね秤４０自体は、目盛付き円筒４３と、これを収容するカバー円筒４４とから構成されている。ばねは、目盛付き円筒４３とカバー円筒４４との両者を併せて保持するように、その一端側で目盛付き円筒４３の上蓋の内側底面に固着されており、他端側でカバー円筒４４の内側底面に固着されている。カバー円筒４４は、ばね秤４０を使用する前にばね秤４０を測定状態にするよう、目盛付き円筒４３の周囲にネジ止めされ得る。被測定物はクリップ４８に取り付けられて重量測定される。その重量は目盛付き円筒４３上に印刷された目盛から読まれる。
【００３３】
次に、図１および図５に関連して、第１実施例の重量計３の有用性および制御機能を果たす構成とその作動とが、本発明の第３の好ましい実施例として詳細に説明される。
【００３４】
携帯電話機１の重量計２を使用しようとするユーザーはスクリーン１２上に見られるグラフィカル・ユーザーインターフェイス（ＧＵＩ）中のメニュー項目を介して重量計３を駆動させる必要がある。このＧＵＩの作動は携帯電話機１のキーパッド１３上のメニュキー１３１を押すことによって起動される。このようにして、キーパッド１３は、主制御装置７に対するインターフェイスの役割をするキーパッドドライバー７１に信号を送出する。スクリーン１２の出力を変更するスクリーンドライバー７２に、逐次、信号を送出する主制御装置７は、携帯電話機１の全ての周辺機器および機能を制御する中央処理装置（ＣＰＵ）としての役割を一般的に果たす。
【００３５】
かくて、重量計３を起動させるのに好適なメニュー項目を検索し、選択するために、キーパッド１３上の起動キー１３２が用いられる。重量計３が起動されると、主制御装置７は、重量情報発生部７０の１つの構成要素である重量センサー３１を測定状態にするよう、すなわち、測定初期化と重量センサーの校正化とを行うように、重量情報発生部７０のもう１つの構成要素である重量センサー制御器７３に要求する。これには多少時間が掛かるので、その間、ユーザーは重量計３を使うことができない。重量センサー３１が測定可能な状態になると、ユーザーは、重量センサー３１が使用可能になっていることをスクリーン１２上のメッセージによって気付かされる。これにより、ユーザーは、重量測定される被測定物をクリップ３８に取り付けることができ、スクリーン１２のＧＵＩ上の重量測定開始メニュー項目を選択することによって重量測定を開始することができる。重量測定開始メニュー項目を選択することは、キーパッドドライバー７１を経由してキーパッドから主制御装置７に送出される信号の引き金になる。これにより、主制御装置７は重量センサー３１における電圧を測定するように重量センサー制御器７３に要求し、その電圧値を重量値に変換させてから、その結果を引き戻す。測定された重量値はユーザーのために表示すべくスクリーン１２に送出される。なお、無線通信回路７４は、携帯電話機１の無線通信時に用いられる。
【００３６】
第６図に示される本発明の好ましい第４の実施例において、重量データを郵便料金または郵便サービスのデータベースサーバーに送信し、そこから郵便料金値または郵便サービスデータを受信するための通信モデルが詳細に説明される。
【００３７】
上記本発明の上記第１の実施例において説明したように、ユーザーは、携帯電話機１の重量計３を用いて被測定物の重量を測定した後、郵便メールサービスのような予め保存されたメールサービスプロバイダーに関するハイパーリンクのリストを起動する。メールサービスプロバイダーに関するハイパーリンクを選択することによって、携帯電話機１の主制御装置７は重量値付き問い合わせを含むパケットメッセージを、自機の無線通信回路７４（図５参照）および無線ネットワークの中継地点９０を経由する、たとえば、無線ＬＡＮ９４およびＩＰネットネットワーク９３を介して、メールサービスプロバイダーのデーターベースサービス９１に送信する。応答メッセージについては、メールサービスプロバイダーのデーターベースサービス９１は、対応するメールサービスデータ、たとえば郵便料金値、をユーザーの携帯電話機１へ送信する。そのデータは携帯電話機のスクリーン１２に表示される。
【００３８】
また、このような通信モデルを使用することによって、通話中あるいはメールの送信中に被測定物の重量が量られると、前記重量情報発生部は重量情報を発生し、該重量情報を所定の操作により音声情報として、あるいはメール文中に挿入されるメッセージとして相手方に伝送することができるようになる。
【００３９】
同様に、通話前のメール文作成中に被測定物の重量が量られると、前記重量情報発生部は重量情報を発生し、該重量情報を所定の操作によりメール文中に挿入される数値表示として挿入することもできるようになる。
【００４０】
さらに、携帯電話機１が一体的に組み込まれたプリンタを持ち、かつ、メールサービスプロバイダーに登録されている場合には、重量測定された、郵送されるべき被測定物に貼られる前納チケットまたはスタンプを、ユーザーはプリントアウトすることができるであろう。
【００４１】
本発明は、これまで特定の方法および実施例に関連して説明されて来たが、これまでに開示された詳細に限定されるものではない。本発明は、添付の各請求項の範囲に含められるような、機能的に同等な構造、方法、および使用の全てに及ぶものである。
【図面の簡単な説明】
【００４２】
【図１】本発明の第１の実施例による重量計付き携帯電話機の斜視図である。
【図２】重量計が使用される前の状態であって、入れ子式の伸張自在なばねアームとクリップを取り付けた重量計が示されている重量計空洞部の断面図である。
【図３】重量計が使用される際の状態であって、伸張された入れ子式の伸張自在なばねアームとクリップを取り付けた重量計が示されている重量計空洞部の断面図である。
【図４】（ａ）は本発明の第２の実施例による重量測定用ばね秤を収容する重量計空洞部の断面図であり、（ｂ）は本発明の第２の実施例による重量測定用ばね秤に被測定物を取り付けた状態を示す斜視図である。
【図５】本発明の第３の実施例による携帯電話機における重量計の制御機能を果たす構成とその作動とを示すブロック図である。
【図６】本発明の第４の実施例による携帯電話機を用いた通信モデルを示す模式図であって、そこにおいて、測定された重量値が問い合わせ情報として携帯電話機から送出され、重量値に対応する他のデータが応答として所定のデータベースから戻される。
【符号の説明】
【００４３】
１    携帯電話機
２    重量計空洞部
３    重量計
７    主制御装置
１２  スクリーン
１３  キーパッド
１１  本体ハウジング
３１  重量センサー
３２  円錐ヘッド
３３  ばねアーム
４０  ばね秤
７０  重量情報発生部
７３  重量センサー制御器
７４  無線通信回路
９０  無線ネットワークの中継地点
９１  メールサービスプロバイダーのデータベース
９３  ＩＰネットワーク
９４  無線ＬＡＮ
【図１】
2006300604.tif 000003
【図２】
2006300604.tif 000004
【図３】
2006300604.tif 000005
【図４】
2006300604.tif 000006
【図５】
2006300604.tif 000007
【図６】
2006300604.tif 000008
【手続補正書】
【提出日】平成17年4月20日(2005.4.20)
【手続補正１】
【補正対象書類名】明細書
【補正対象項目名】０００８
【補正方法】変更
【補正の内容】
【０００８】
また、通信機能付き電子秤も開発されている。（特許文献２参照）。この電子秤には、相手に、たとえばホストコンピュータに重量情報を送出するために、専用のモデム回路やＮＣＵ（ネットワーク・コントロール・ユニット）回路が内蔵されている。
【手続補正２】
【補正対象書類名】明細書
【補正対象項目名】００３７
【補正方法】変更
【補正の内容】
【００３７】
上記本発明の上記第１の実施例において説明したように、ユーザーは、携帯電話機１の重量計３を用いて被測定物の重量を測定した後、郵便メールサービスのような予め保存されたメールサービスプロバイダーに関するハイパーリンクのリストを起動する。メールサービスプロバイダーに関するハイパーリンクを選択することによって、携帯電話機１の主制御装置７は重量値付き問い合わせを含むパケットメッセージを、自機の無線通信回路７４（図５参照）および無線ネットワークの中継地点９０を経由する、たとえば、ＲＡＮ９４およびＩＰネットネットワーク９３を介して、メールサービスプロバイダーのデーターベースサービス９１に送信する。応答メッセージについては、メールサービスプロバイダーのデーターベースサービス９１は、対応するメールサービスデータ、たとえば郵便料金値、をユーザーの携帯電話機１へ送信する。そのデータは携帯電話機のスクリーン１２に表示される。
【手続補正３】
【補正対象書類名】図面
【補正対象項目名】図６
【補正方法】変更
【補正の内容】
【図６】
2006300604.tif 000009